(57)【特許請求の範囲】
【請求項１】
被支持体に設けられたローラキャッチ機構に片持ち梁状に形成された支持ブラケットを挿入係合させることで、自身を前記被支持体に保持させることが出来るように構成された応答スイッチであって、該応答スイッチは、
先端に押下自在な押しボタンスイッチが設けられた筒状の本体を有し、
該本体の外周部は、該本体を手指にて把持可能な指把持部を形成しており、
前記指把持部の中間位置には、前記支持ブラケットが、外方に突出する形で形成されて、被検者が前記応答スイッチを保持する際には、隣接する被検者の指の間に挟み込まれる形で該支持ブラケットが保持されるように構成され、
前記支持ブラケットの先端部には、該支持ブラケットの厚さが厚くなったストッパ部が、該支持ブラケットの幅方向に膨出形成されている、
ことを特徴とする応答スイッチ。
【請求項２】
前記支持ブラケットの前記本体から外方への突出長さは、大人の指の平均的な太さよりもやや大きく形成された、
ことを特徴とする請求項１記載の応答スイッチ。
【請求項３】
請求項１又は２記載の応答スイッチを保持する機器であって、
前記機器は、全体が箱状に形成された本体を有しており、
該本体の表面にスリットを、前記支持ブラケットを挿抜自在に設け、
前記スリットの前記本体内部に、前記ローラキャッチ機構を前記支持ブラケットを該ブラケットの厚さ方向両側から強圧保持自在に設けて、
構成した前記応答スイッチを保持する機器。
【請求項４】
前記機器は、眼科機器である、請求項３記載の機器。
【請求項５】
前記機器は、視野計であり、
該視野計は、本体を有し、
該本体の前面に、被検者の顔面が配置されるあご載せ及びひたい当てを設け、
前記あご載せ及びひたい当て前方の前記本体の内部に、視野測定用の視野ドームを設け、
前記前面の側方部に、前記スリットが形成されている、
ことを特徴とする、請求項４記載の機器。
【発明の詳細な説明】
【技術分野】
【０００１】
本発明は、眼科機器などに使用され、被検者の応答を検知するための応答スイッチに係わり、機器の本体から着脱自在に設けられた応答スイッチ及び、該応答スイッチを保持する機器に関する。
【背景技術】
【０００２】
従来、視野計などの眼科機器においては、特許文献１及び２に示すように、被検者の応答を検知するための応答スイッチが設けられている。しかし、検査時間が長くなると、応答スイッチを手で保持しているのがつらくなり、誤って落としてしまうことも多い。こうした問題を解決するために、特許文献３及び４に示すように、応答スイッチに指を引っかけるようなフックや指を通す保持部などを設けて、長時間、手で保持し易くする提案もなされている。
【先行技術文献】
【特許文献】
【０００３】
【特許文献１】特開平６−５４８０４
【特許文献２】特開２０００−３００５１６
【特許文献３】特開２０００−３２５４１２
【特許文献４】特開２００４−３０３７２８
【発明の概要】
【発明が解決しようとする課題】
【０００４】
しかし、こうした構成では、例えば、図５に示すように、未使用時にこの応答スイッチをどのようにしておくかが考慮されていなかった。一般的に、特許文献３にあるようなフック付き応答スイッチの場合には、眼科機器のどこかに、フックを引っかかるようなものを備えておくことが考えられる。また、逆に特許文献４の場合には、眼科機器本体にフックを設けて、応答スイッチの指を通す部分をそのフックに引っかけて保持する構造が考えられる。しかし、いずれの場合にも、本体に何らかの構造体が必要となり、それが突起物となって、被検者が誤って手や、顔面をその突起物に引っかけたりする危険性が懸念される。
【０００５】
そこで、本発明は、長時間、手で保持し易い構造でありながら、眼科機器本体などの機器への保持が、機器本体に何ら突起物を形成すること無く行うことが可能な、応答スイッチ及び該応答スイッチを保持する機器を提供することを目的とするものである。
【課題を解決するための手段】
【０００６】
上述する課題を解決するための最初の観点は、被支持体（２）に設けられたローラキャッチ機構（１１）に片持ち梁状に形成された支持ブラケット（１ｃ）を挿入係合させることで、自身を前記被支持体（２）に保持させることが出来るように構成された応答スイッチ（１）であって、該応答スイッチ（１）は、
先端に押下自在な押しボタンスイッチ（１ｂ）が設けられた筒状の本体（１ａ）を有し、
該本体（１ａ）の外周部は、該本体（１ａ）を手指にて把持可能な指把持部（１ｅ）を形成しており、
前記指把持部（１ｅ）の中間位置には、前記支持ブラケット（１ｃ）が、外方に突出する形で形成されて、被検者が前記応答スイッチ（１）を保持する際には、隣接する被検者の指の間に挟み込まれる形で該支持ブラケット（１ｃ）が保持されるように構成され、
前記支持ブラケット（１ｃ）の先端部には、該支持ブラケットの厚さ（Ｔ）が厚くなったストッパ部（１ｄ）が、該支持ブラケットの幅（Ｗ）方向に膨出形成されている、
点である。また、前記支持ブラケット（１ｃ）の前記本体（１ａ）から外方への突出長さは、大人の指の平均的な太さよりもやや大きく形成された、点である。
【０００７】
また、上述する課題を解決するための二つ目の観点は、応答スイッチ（１）を保持する機器（２）であって、
前記機器（２）は、全体が箱状に形成された本体（３）を有しており、
該本体（３）の表面にスリット（１０）を、前記支持ブラケット（１ｃ）を挿抜自在に設け、
前記スリット（１０）の前記本体（３）内部に、前記ローラキャッチ機構（１１）を前記支持ブラケット（１ｃ）を該ブラケットの厚さ（Ｔ）方向両側から狭圧保持自在に設けて、
構成した点である。
【０００８】
また、上述する課題を解決するための三つ目の観点は、前記機器（２）は、眼科機器である点である。
【０００９】
また、上述する課題を解決するための四つ目の観点は、前記機器は、視野計（２）であり、
該視野計（２）は、本体（３）を有し、
該本体（３）の前面（３ａ）に、被検者の顔面が配置されるあご載せ（５）及びひたい当て（６）を設け、
前記あご載せ（５）及びひたい当て（６）前方の前記本体（３）の内部に、視野測定用の視野ドーム（７）を設け、
前記前面（３ａ）の側方部に、前記スリット（１０）が形成されている、
点である。
【発明の効果】
【００１０】
本発明によれば、手指にて把持可能な指把持部（１ｅ）の中間位置に、支持ブラケット（１ｃ）が、外方に突出する形で形成されているので、応答スイッチ（１）を被支持体（２）に支持するための支持ブラケット（１ｃ）を、被検者が該応答スイッチ（１）を保持する際には、隣接する被検者の指の間に挟み込まれる形で保持させることができる。
【００１１】
すると、応答スイッチ（１）は、本体（１ａ）が被検者の手のひらの中で、本体（１ａ）の軸心（ＣＴ）方向に平行な矢印Ｅ，Ｆ方向に滑り動くことがないように保持されるばかりか、ストッパ部（１ｄ）がストッパ部（１ｄ）上下に配置された被検者の指の外周部と当接して手中で応答スイッチ（１）が回転することを阻止するように作用する。これにより、長時間の測定動作で応答スイッチ（１）を保持する手が汗ばんだり、また疲労などで応答スイッチ（１）を保持する保持力が多少小さくなったとしても、応答スイッチ（１）は、被検者の手の中に確実に保持され、測定中に応答スイッチ（１）を誤って落としたり、押しボタンスイッチ（１ｂ）を押し損なってしまう等の不測の事態を効果的に回避することが出来る。
【００１２】
また、視野計（２）のように、本体（３）の前面（３ａ）に、被検者の顔面が配置されるあご載せ（５）及びひたい当て（６）が配置される構造の眼科機器において、機器前面（３ａ）の側方部に、スリット（１０）を介して応答スイッチ（１）を保持するようにすると、応答スイッチ（１）を保持するためのローラキャッチ機構（１１）を本体内部に配置することが出来、応答スイッチ（１）を保持ための突起物が機器前面（３ａ）に配置されることが無くなり、安全性が向上する。
【００１３】
なお、括弧内の番号等は、図面における対応する要素を示す便宜的なものであり、従って、本記述は図面上の記載に限定拘束されるものではない。
【図面の簡単な説明】
【００１４】
【図１】図１は、本発明の応答スイッチの一例が適用される、視野計の一例を示す斜視図。
【図２】図２は、図１の視野計において、応答スイッチを取り外した状態を示す斜視図。
【図３】図３は、本発明の応答スイッチの一例を示す斜視図。
【図４】図４は、図３の応答スイッチを視野計本体に保持させた状態を示す部分断面図。
【図５】図５は、従来の視野計において、応答スイッチが取り外された状態を示す斜視図。
【発明を実施するための形態】
【００１５】
以下、図面に基づき、本発明の実施例を説明する。
【００１６】
視野計２は、図１に示すように、全体が箱状に形成された本体３を有しており、本体３の前面３ａには、あご載せ５及びひたい当て６が設けられている。本体３の、図１右側には、応答スイッチ１が着脱自在に設けられており、更に、あご載せ５及びひたい当て６の前方、即ち図１紙面の奥方の本体３の内部には、視標が提示される半球状の視野ドーム７が設けられている。視野ドーム７は、本体３に内蔵された公知の視標提示装置により視野測定用の視標（図示せず）が視野ドーム７内の任意の位置に視標を投影自在に構成されている。
【００１７】
本体３には、応答スイッチ１が、接続コード９を介して接続されており、応答スイッチ１は、図３に示すように、ほぼ円筒状に形成された本体１ａを有している。本体１ａの筒状に形成された外周部は、手の親指以外の、人差し指、中指、薬指、小指等の手指により把持可能に形成された指把持部１ｅを形成している。本体１ａの図３上端部には、押しボタンスイッチ１ｂが設けられており、押しボタンスイッチ１ｂを被検者の親指が押下することで、応答スイッチ１から所定の信号が接続コード９を介して本体３へ出力される。本体１ａの指把持部１ｅの中間部よりやや押しボタンスイッチ１ｂ側には、幅Ｗで片持ち梁状に形成された支持ブラケット１ｃが指把持部１ｅから外方向に突出する形で設けられており、支持ブラケット１ｃの先端部には、支持ブラケット１ｃの厚さＴがやや厚くなって全体が支持ブラケット１ｃの幅方向に円柱状に膨出形成されたストッパ部１ｄが形成されている。支持ブラケット１ｃの本体１ａから外方への突出長さは、大人の指の平均的な太さよりもやや大きく形成されており、大人の被検者が応答スイッチ１を把持した場合、例えば人差し指と中指が、先端のストッパ部１ｄをそれらの指の間から僅かに外方に突出させるような形で挟むことが出来るように形成されている。
【００１８】
なお、この支持ブラケット１ｃの指把持部１ｅにおける位置は、必ずしも、指把持部１ｅの中央部よりやや押しボタンスイッチ１ｂ側にある必要はなく、指把持部１ｅの中央部、又は中央部よりやや接続コード９側に配置し、中指と薬指との間又は、薬指と小指の間で支持ブラケット１ｃを挟む形としても良い。即ち、筒状の指把持部１ｅの図３上下両端部以外の、中間部に、親指以外の手指でそのブラケット１ｃ部分を両側から挟みうる位置に形成されていればよい。
【００１９】
一方、視野計２の本体３の表面である前面３ａの図２右側の部分には、長方形状のスリット１０が設けられており、スリット１０は、図４に示すように、応答スイッチ１の支持ブラケット１ｃが挿抜自在な形で形成されている。本体３のスリット１０の図４右方の本体３内部には、ローラキャッチ機構１１が設けられており、ローラキャッチ機構１１は、全体がＣ字形に形成された板バネ１１ａを有している。板バネ１１ａの両先端には１対のローラ１１ｂ、１１ｂが互いに対向する形で回転自在に装着されており、１対のローラ１１ｂ、１１ｂは、板バネ１１ａの弾性により所定の接触圧力で互いに当接する形で設けられている。
【００２０】
視野計２は、以上のような構成を有するので、視野計２で被検者の被検眼の視野を測定する場合には、被検者に対して、図１に示すあご載せ５にあごを載せ、更に、ひたい部分をひたい当て６に押圧接触させて、被検者の前眼部の被検眼を、所定の視野測定位置、即ち、視野ドーム７のほぼ中心に配置させるようにする。この状態で、図示しないキーボードなどの操作部を介して視野計２に対して被検眼の視野測定を公知の手法で開始するが、この際、被検者は、視野計２の本体３の前面３ａの図１右側のスリット１０に保持された応答スイッチ１を右手で保持するようにする。
【００２１】
応答スイッチ１は、図４に示すように、本体１ａの支持ブラケット１ｃが、ローラキャッチ機構１１の、１対のローラ１１ｂ、１１ｂ間にその厚さ方向両側からバネ１１ａの弾性により狭圧保持される形で係合している。また、応答スイッチ１の未使用状態では、支持ブラケット１ｃの先端の膨出したストッパ部１ｄが、１対のローラ１１ｂ、１１ｂよりも図４右方に突出した状態となっており、これにより、応答スイッチ１は、多少矢印Ａ方向、即ち引き抜き方向に引っ張られたとしても、ストッパ部１ｄが１対のローラ１１ｂ、１１ｂを板バネ１１ａの弾性に抗して矢印Ｄ方向に移動させる程の力が作用しない限り、ローラキャッチ機構１１により保持されるので、確実に支持される。
【００２２】
応答スイッチ１を、被検者が保持する際には、被検者は自分の手で応答スイッチ１の本体１ａを掴んで、その本体１ａを矢印Ａ方向に、所定の力以上の力で引っ張る。すると、当該引っ張り力により本体１ａのストッパ部１ｄが矢印Ａ方向に、１対のローラ１１ｂ、１１ｂを板バネ１１ａの弾性に抗して矢印Ｄ方向に移動させつつ移動し、その結果ストッパ部１ｄがスリット１０から抜け出して、被検者の手の中に保持される。その状態で、検査者は、被検者に対して応答スイッチ１の本体１ａを、例えば人差し指と中指、又は中指と薬指との間に支持ブラケット１ｃが、先端のストッパ部１ｄをそれらの指の間から僅かに外方に突出させるような形で挟み込む形で保持するように指示する。
【００２３】
すると、応答スイッチ１の本体１ａは、被検者の指の間で支持ブラケット１ｃが隣接する被検者の指の間に挟み込まれる形で保持され、本体１ａが被検者の手のひらの中で、本体１ａの軸心ＣＴ方向に平行な矢印Ｅ，Ｆ方向に滑り動くことがないように確実に保持される。また、支持ブラケット１ｃ先端の膨出したストッパ部１ｄが、被検者の指の間から僅かに外方に突出するような形で保持されるので、応答スイッチ１の本体１ａが本体軸心ＣＴを中心に矢印Ｇ，Ｈ方向に回転しようとしても、ストッパ部１ｄがストッパ部１ｄ上下に配置された被検者の指の外周部と当接してそれ以上の矢印Ｇ，Ｈ方向の回動を阻止するように作用するので、応答スイッチ１の本体１ａは、軸心ＣＴ周りの回動も適切に阻止される。
【００２４】
このように、被検眼１９が応答スイッチ１の本体１ａを握るだけで、ストッパ部１ｄが設けられた支持ブラケット１ｃの、軸心ＣＴ方向の移動や、軸心ＣＴ周りの回転が適切に阻止されるので、長時間の測定動作で応答スイッチ１を保持する手が汗ばんだり、また疲労などで応答スイッチ１を保持する保持力が多少小さくなったとしても、応答スイッチ１は、被検者の手の中に確実に保持され、測定中に応答スイッチ１を誤って落としたり、押しボタンスイッチ１ｂを押し損なってしまう等の不測の事態を効果的に回避することが出来る。
【００２５】
こうして、被検者に応答スイッチ１を保持させた状態で、視野ドーム７中に適宜な視標を表示させ、被検者が当該視標を認識した場合には、被検者に応答スイッチ１の押しボタンスイッチ１ｂを押下させ、認識しなかった場合には、被検者に応答スイッチ１の押しボタンスイッチ１ｂを押下させないようにして、被検者の被検眼の視野の測定を行ってゆく。なお、この測定中は、被検者は顔面をあご載せ５にのせ、ひたいをひたい当て６に押しつけた状態、即ち、視野計２の本体３の前面３ａに顔面を極めて近接させた状態となっている。従って、被検者が不用意に応答スイッチ１を保持した手を移動させたり、顔面を左右に移動させたりした場合には、本体３の前面３ａに何らかの突起物が有った場合には、手や顔面を当該突起物に引っかけたりする危険性があるので、本体３の前面３ａには何らの突起物も配置しないよう構成する必要がある。
【００２６】
この点、応答スイッチ１を本体３の前面３ａで保持するローラキャッチ機構１１は、スリット１０を介して前面３ａの図２後方の本体内部に収納されているので、ローラキャッチ機構１１が、本体３の前面３ａ上に突出して突起物となることはなく、安全である。
【００２７】
こうして、測定を行って、測定が終了すると、検査者は被検者に対して、顔面を本体３から離すと共に、応答スイッチ１を前面３ａのローラキャッチ機構１１に戻すように促す。応答スイッチ１をローラキャッチ機構１１に戻す場合には、図４に示すように、応答スイッチ１の本体１ａの支持ブラケット１ｃを、前面３ａのスリット１０に、矢印Ｂ方向に挿入する。すると、支持ブラケット１ｃの先端の膨出したストッパ部１ｄが、１対のローラ１１ｂ、１１ｂ間に入り込み、ローラ１１ｂ、１１ｂを矢印Ｄ方向に板バネ１１ａの弾性に抗する形で移動させる。ストッパ部１ｄが１対のローラ１１ｂ、１１ｂの間を、図４矢印Ｂ方向に移動し、ローラ１１ｂ、１１ｂの図中右方に突き出ると、１対のローラ１１ｂ、１１ｂは、支持ブラケット１ｃのストッパ部１ｄより厚さが薄い中間部分を図中上下方向から狭圧保持する形となり、応答スイッチ１の本体１ａは、ローラキャッチ機構１１により本体３の前面３ａに保持される。
【００２８】
なお、既に述べたが、応答スイッチ１の本体１ａを矢印Ａ方向に引き出すには、１対のローラ１１ｂ、１１ｂを板バネ１１ａの弾性に抗して矢印Ｄ方向に移動させるだけの引き抜き力を本体１ａに作用させる必要があるので、通常の場合、応答スイッチ１は本体３の前面に確実に保持される。
【符号の説明】
【００２９】
１……応答スイッチ
１ａ……本体
１ｂ……押しボタンスイッチ
１ｃ……支持ブラケット
１ｄ……ストッパ部
１ｅ……指把持部
２……被支持体、機器（視野計）
３……本体
１０……スリット
１１……ローラキャッチ機構
【図１】
0005739690.tif 000002
【図２】
0005739690.tif 000003
【図３】
0005739690.tif 000004
【図４】
0005739690.tif 000005
【図５】
0005739690.tif 000006